(57)【特許請求の範囲】
【請求項１】
薄膜ディスペンサのためのディスペンジングユニットにおいて、
ベースと、
前記ベース上に設けられたホイールアセンブリと、
前記ホイールアセンブリの周囲に設けられた薄膜と、
前記ベース上に弾力をもって配置されたロック装置と
を含み、
前記ホイールアセンブリは、
前記ベース上で回転可能に設けられたテープ供給ホイールと、
前記ベース上で回転可能に設けられた使用済みテープ収集ホイールと
を含み、
前記ロック装置は、
前記ホイールアセンブリが回転することを防止するために、前記テープ供給ホイールと前記使用済みテープ収集ホイールとの少なくとも一つと選択的に噛み合う前記ベース上に形成された少なくとも一つの弾性のある噛合いアームを含み、
前記少なくとも一つの弾性のある噛合いアームのそれぞれは、少なくとも一端が前記ベースに接続されている
ことを特徴とする薄膜ディスペンサのためのディスペンジングユニット。
【請求項２】
前記ロック装置は、前記テープ供給ホイールと噛み合うことを特徴とする請求項１に記載の薄膜ディスペンサのためのディスペンジングユニット。
【請求項３】
前記ベースの一つの端部に設けられたディスペンジングヘッドをさらに含むことを特徴とする請求項２に記載の薄膜ディスペンサのためのディスペンジングユニット。
【請求項４】
前記テープ供給ホイールは、当該テープ供給ホイールの側面に形成された円周状に交互に配置された複数の凹状および凸状の歯を有しており、
前記ロック装置の前記少なくとも一つの弾性のある噛合いアームは、前記テープ供給ホイールの前記凹状および凸状の歯の一つと選択的に噛み合う
ことを特徴とする請求項２または３に記載の薄膜ディスペンサのためのディスペンジングユニット。
【請求項５】
前記ロック装置の前記少なくとも一つの弾性のある噛合いアームは、前記使用済みテープ収集ホイールと選択的に噛み合うことを特徴とする請求項１に記載の薄膜ディスペンサのためのディスペンジングユニット。
【請求項６】
前記少なくとも一つの弾性のある噛合いアームはそれぞれ、
完全にかつ弾力をもって前記ベースに結合され、前記ベースに対して反対側で自由端部を有している直線状の要素と、
前記直線状の要素の前記自由端部と結合している結合端部と該結合端部の反対側にある噛合い端部とを有している曲線状の要素と、
前記曲線状の要素の前記噛合い端部上に形成され、選択的に前記ホイールアセンブリに噛み合う噛合い要素と、
前記曲線状の要素の前記噛合い端部上に形成され、前記曲線状の要素の噛合い端部から突出している突出部と
を含むことを特徴とする請求項４または５に記載の薄膜ディスペンサのためのディスペンジングユニット。
【請求項７】
前記少なくとも一つの弾性のある噛合いアームはそれぞれ、
完全にかつ弾力をもって前記ベースに結合され、前記ベースに対して反対側で噛合い端部を有している直線状の要素と、
前記直線状の要素の前記噛合い端部上に形成され、選択的に前記ホイールアセンブリに噛み合う噛合い要素と、
前記直線状の要素の前記噛合い端部上に形成され、前記直線状の要素の噛合い端部から突出している突出部と
を含むことを特徴とする請求項４または５に記載の薄膜ディスペンサのためのディスペンジングユニット。
【請求項８】
前記少なくとも一つの弾性のある噛合いアームはそれぞれ、
完全にかつ弾力をもって前記ベースに結合され、前記ベースに対して反対側で噛合い端部を有している曲線状の要素と、
前記曲線状の要素の前記噛合い端部上に形成され、選択的に前記ホイールアセンブリに噛み合う噛合い要素と、
前記曲線状の要素の前記噛合い端部上に形成され、前記曲線状の要素の噛合い端部から突出している突出部と
を含むことを特徴とする請求項４または５に記載の薄膜ディスペンサのためのディスペンジングユニット。
【請求項９】
前記少なくとも一つの弾性のある噛合いアームはそれぞれ、
確実に弾力をもって前記ベースに結合する２つの端部と、
前記２つの端部の間に形成された噛合い部と、
前記噛合い部上に形成され、選択的に前記ホイールアセンブリに噛み合う噛合い要素と、
前記噛合い部上に形成され、前記噛合い部から突出している突出部と
を含むことを特徴とする請求項４または５に記載の薄膜ディスペンサのためのディスペンジングユニット。
【請求項１０】
薄膜ディスペンサであって、
当該ハウジング内に設けられた伝動装置を有するハウジングと、
前記ハウジング内に設けられたディスペンジングユニットと、
前記ハウジングから外側に拡張することが可能で、前記ディスペンジングユニットに結合されるディスペンジングヘッドと、
前記ハウジング上に設けられたアンロック装置と
を含み、
前記ディスペンジングユニットは、
ベースと、
前記ベース上に設けられ、前記ベース上で回転可能に設けられたテープ供給ホイールと前記ベース上で回転可能に設けられた使用済みテープ収集ホイールとを含み、前記伝動装置に結合されるホイールアセンブリと、
前記ホイールアセンブリの周囲に設けられた薄膜と、
前記ホイールアセンブリが回転することを防止するために、前記ホイールアセンブリと選択的に噛み合い、前記ベース上に弾力をもって配置されたロック装置と、
を含み、
前記ロック装置は、前記ホイールアセンブリが回転することを防止するために、前記テープ供給ホイールと前記使用済みテープ収集ホイールとの少なくとも一つと選択的に噛み合う前記ベース上に形成された少なくとも一つの弾性のある噛合いアームを含み、前記少なくとも一つの弾性のある噛合いアームのそれぞれは、少なくとも一端が前記ベースに接続され、
前記アンロック装置は、前記ロック装置から前記ホイールアセンブリをアンロックするために、前記ロック装置に対応している
ことを特徴とする薄膜ディスペンサ。
【請求項１１】
前記ロック装置は、前記テープ供給ホイールと噛み合うことを特徴とする請求項１０に記載の薄膜ディスペンサ。
【請求項１２】
前記ディスペンジングユニットの前記ベースの一つの端部に設けられたディスペンジングヘッドを備えたことを特徴とする請求項１１に記載の薄膜ディスペンサ。
【請求項１３】
前記テープ供給ホイールは、当該テープ供給ホイールの側面に形成された円周状に交互に配置された複数の凹状および凸状の歯を有しており、
前記ロック装置の前記少なくとも一つの弾性のある噛合いアームは、前記テープ供給ホイールの前記凹状および凸状の歯の一つと選択的に噛み合う
ことを特徴とする請求項１２に記載の薄膜ディスペンサ。
【請求項１４】
前記ロック装置の前記少なくとも一つの弾性のある噛合いアームは、前記使用済みテープ収集ホイールと選択的に噛み合うことを特徴とする請求項１０に記載の薄膜ディスペンサ。
【請求項１５】
前記少なくとも一つの弾性のある噛合いアームはそれぞれ、
完全にかつ弾力をもって前記ベースに結合され、前記ベースに対して反対側で自由端部を有している直線状の要素と、
前記直線状の要素の前記自由端部と結合している結合端部と該結合端部の反対側にある噛合い端部とを有している曲線状の要素と、
前記曲線状の要素の前記噛合い端部上に形成され、選択的に前記ホイールアセンブリに噛み合う噛合い要素と、
前記曲線状の要素の前記噛合い端部上に形成され、前記曲線状の要素の噛合い端部から突出している突出部と
を含むことを特徴とする請求項１３または１４に記載の薄膜ディスペンサ。
【請求項１６】
前記少なくとも一つの弾性のある噛合いアームはそれぞれ、
完全にかつ弾力をもって前記ベースに結合され、前記ベースに対して反対側で噛合い端部を有している直線状の要素と、
前記直線状の要素の前記噛合い端部上に形成され、選択的に前記ホイールアセンブリに噛み合う噛合い要素と、
前記直線状の要素の前記噛合い端部上に形成され、前記直線状の要素の噛合い端部から突出している突出部と
を含むことを特徴とする請求項１３または１４に記載の薄膜ディスペンサ。
【請求項１７】
前記少なくとも一つの弾性のある噛合いアームはそれぞれ、
完全にかつ弾力をもって前記ベースに結合され、前記ベースに対して反対側で噛合い端部を有している曲線状の要素と、
前記曲線状の要素の前記噛合い端部上に形成され、選択的に前記ホイールアセンブリに噛み合う噛合い要素と、
前記曲線状の要素の前記噛合い端部上に形成され、前記曲線状の要素の噛合い端部から突出している突出部と
を含むことを特徴とする請求項１３または１４に記載の薄膜ディスペンサ。
【請求項１８】
前記少なくとも一つの弾性のある噛合いアームはそれぞれ、
確実に弾力をもって前記ベースに結合する２つの端部と、
前記２つの端部の間に形成された噛合い部と、
前記噛合い部上に形成され、選択的に前記ホイールアセンブリに噛み合う噛合い要素と、
前記噛合い部上に形成され、前記噛合い部から突出している突出部と
を含むことを特徴とする請求項１３または１４に記載の薄膜ディスペンサ。
【請求項１９】
前記アンロック装置は、前記ハウジングの内側表面上に設けられ、少なくとも一つの弾力のある噛合いアームにそれぞれ対応する少なくとも一つの案内ブロックからなり、
前記少なくとも一つの案内ブロックは、前記ハウジングが閉じられた後に前記少なくとも一つの弾力のある噛合いアームと間隔を置くとともに該弾力のある噛合いアームと一列に整列するように配置される
ことを特徴とする請求項１３から１８のいずれかに記載の薄膜ディスペンサ。
【請求項２０】
前記アンロック装置は、前記ハウジングの内側表面上に設けられ、少なくとも一つの弾力のある噛合いアームにそれぞれ対応する少なくとも一つの案内ブロックからなり、
前記少なくとも一つの案内ブロックは、前記ハウジングが閉じられた後に前記少なくとも一つの弾力のある噛合いアームに対して接触する
ことを特徴とする請求項１３から１８のいずれかに記載の薄膜ディスペンサ。
【発明の詳細な説明】
【技術分野】
【０００１】
本発明は、ディスペンジングユニットおよびディスペンジングユニットを有する薄膜ディスペンサに関し、特にテープホイールにロック効果を与える機能を有しているディスペンジングユニットに関するものである。
【背景技術】
【０００２】
訂正テープディスペンサあるいは接着テープディスペンサなどの従来の薄膜ディスペンサは、本質的にハウジングとハウジング内に設けられたディスペンジング（吐出、取り出し）ユニットからなる。
【０００３】
従来のディスペンジングユニットは、ディスペンジングヘッドとホイールアセンブリと薄膜とからなる。
【０００４】
ディスペンジングヘッドは、ディスペンジングユニットの一端に設けられている。ホイールアセンブリは、テープを供給するホイール（テープ供給ホイール）と、互いに回転駆動される、使用されたテープ（使用済みのテープ）を収集するホイール（使用済みテープ収集ホイール）とからなる。薄膜は、ホイールアセンブリとディスペンジングヘッドの周囲に設けられる。
【０００５】
環境に優しい目的のためと、ユーザのコスト負担を低減するために、薄膜ディスペンサのハウジングは、使用されたディスペンジングユニットを新しいものと取り替えることをユーザに許容するために、分離可能な形態となっている。
【０００６】
したがって、薄膜ディスペンサのためのディスペンジングユニットは、通常個々に包装されて、売られており、ユーザが、使用されたものを取り替えるために、新しいディスペンジングユニットを買うことが可能となっている。
【０００７】
図１２と図１３を参照するに、固定するカード（固定カード）６０は、ホイールアセンブリを、製造工程の間、包装している間、輸送している間に、当該ホイールアセンブリが回転することを妨げる状態で保持し、それによって薄膜がホイールアセンブリから緩むことを防止するようにすることができる。
【０００８】
従来の固定カード６０は、紙で作られており、底板６２と、位置決めタブ（出っ張り）６４とからなる。位置決めタブ６４は、底板６２から突出しており、ホイールアセンブリのテープ供給ホイール５２のホイール軸と噛合う。これによって、テープ供給ホイール５２の回転は、防止されることになり、薄膜は、ホイールアセンブリから緩むことがなくなるかもしれない。
【０００９】
しかしながら、従来の固定カード６０は、包装と輸送の工程の間だけ、ディスペンジングユニット５０を保持することができるものである。ディスペンジングユニット５０が薄膜ディスペンサの中で組み立てられるときに、固定カード６０は、ディスペンジングユニット５０から取り去られる必要があり、ディスペンジングユニット５０は、ロックを外される。したがって、テープ供給ホイール５２は、容易に回転し、薄膜は、ハウジングにディスペンジングユニット５０を組み込んでいる間に、ホイールアセンブリから容易に緩むことになる。従来のディスペンジングユニットを組み込むことは、不便である。さらに、訂正テープあるいは緩んだ薄膜上の接着性のゲル（ゼリー状の物質）は、容易に他の物体あるいはユーザの手の上に付着することになり、環境やユーザの手を汚すばかりでなく、緩んだ薄膜がもはや使用できなくなったり、薄膜の浪費を引き起こし足らしめることになる。
【００１０】
そのような欠点を克服するために、本発明は、上記の問題点を抑制するか除去するための、薄膜ディスペンサのためのディスペンジングユニットを提供することを課題とするものである。
【発明の概要】
【発明が解決しようとする課題】
【００１１】
本発明の主要な目的は、包装中、輸送中、組み立て工程の間に、薄膜が緩むことを防止するために、薄膜ディスペンサのためのロック機能のあるディスペンジングユニットおよび同じものを有している薄膜ディスペンサを提供することにある。その結果、ディスペンジングユニットを交換したり組み込むことが簡便なものとなり、ディスペンジングユニットの使用の利便性と多才性が改善される。
【課題を解決するための手段】
【００１２】
本発明に従ったディスペンジングユニットは、ベースと、ホイールアセンブリと、薄膜と、ロック装置とを有している。ホイールアセンブリはベース上に設けられ、テープ供給ホイールと、使用済みテープ収集ホイールを有している。テープ供給ホイールと、使用済みテープ収集ホイールは、ベース上に回転可能に設けられる。薄膜はホイールアセンブリの周囲に設けられる。ロック装置は、ホイールアセンブリが回転することを防止するために、ベース上に弾力をもって配置されており、選択的にホイールアセンブリと噛合う。
【００１３】
本発明に従った薄膜ディスペンサは、ハウジングとディスペンジングユニットとを有している。ハウジングは、ハウジング内に配置された伝動装置を有している。ディスペンジングユニットは、ハウジング内に設けられ、ベースと、ホイールアセンブリと、薄膜と、ロック装置とを有している。ホイールアセンブリはベース上に設けられ、テープ供給ホイールと、使用済みテープ収集ホイールを有している。テープ供給ホイールと、使用済みテープ収集ホイールは、ベース上に回転可能に設けられる。薄膜はホイールアセンブリの周囲に設けられる。ロック装置は、ホイールアセンブリが回転することを防止するために、ベース上に弾力をもって配置されており、選択的にホイールアセンブリと噛合う。
【００１４】
そのような配置によって、ロック装置は、ホイールアセンブリが勝手に回転することを防止するために、ホイールアセンブリにロック効果を与えることができる。それによって、薄膜は、包装中、輸送中、組み立て工程の間に、ホイールアセンブリの回転により緩むことが防止されることになる。ディスペンジングユニットを包装し、輸送する工程は簡素化することができ、コストはそれゆえにまた低減されることになる。ユーザは、容易にかつ簡便に、ディスペンジングユニットを取り替えることができるようになり、ディスペンジングユニットを組み込む工程は、利便なものとなる。薄膜の浪費は、ディスペンジングユニットの利便性の改善により、避けられることになる。
【００１５】
本発明の他の目的、利点および新規な特徴は、添付された図面と参照して説明される以下に示される詳細な説明によって、より明らかなものとなるであろう。
【図面の簡単な説明】
【００１６】
【図１】図１は、本発明にしたがった第１の実施例のディスペンジングユニットとともに薄膜ディスペンサを部分的に分解して示す斜視図である。
【図２】図２は、図１に示すディスペンジングユニットの斜視図である。
【図３】図３は、図２に示すディスペンジングユニットを分解した斜視図である。
【図４】図４は、図１に示す薄膜ディスペンサを部分的に拡大して示す平面図であり、図４Ａは、図４に示すディスペンジングユニットを拡大して示す平面図である。
【図５】図５は、図１に示す薄膜ディスペンサの操作状態を部分的に拡大して示す平面図であり、図５Ａは、図５に示すディスペンジングユニットを拡大して示す平面図である。
【図６】図６は、本発明にしたがった第２の実施例の薄膜ディスペンサの斜視図である。
【図７】図７は、図６に示すディスペンジングユニットを拡大して示す斜視図である。
【図８】図８は、図６に示す薄膜ディスペンサを拡大して部分的に示す平面図である。
【図９】図９は、図６に示す薄膜ディスペンサの操作状態を拡大して部分的に示す平面図であり、図９Ａは、図６に示すディスペンジングユニットを拡大して示す平面図である。
【図１０】図１０は、本発明にしたがった第３の実施例の薄膜ディスペンサを分解した斜視図である。
【図１１】図１１は、図１０に示すディスペンジングユニットの斜視図である。
【図１２】図１２は、従来技術にしたがった従来のディスペンジングユニットとともに従来の固定カードを分解して示す斜視図である。
【図１３】図１３は、図１２に示すディスペンジングユニットとともに従来の固定カードを部分的に拡大して示す平明図である。
【発明を実施するための形態】
【００１７】
本発明にしたがった薄膜ディスペンサは、所望する場所の上に、薄膜のコーティング材を適用（当接）することができる、訂正テープディスペンサ、接着テープディスペンサあるいは同様の全ての種類の装置を含むものである。
【００１８】
図１を参照するに、本発明にしたがった薄膜ディスペンサは、ハウジング１０とディスペンジングユニット２０を有している。ハウジング１０は、内側でディスペンジングユニット２０を保持するために、ハウジング１０で規定される室（チャンバ）を有している。ハウジング１０は、さらに伝動装置を有している。
【００１９】
ハウジング１０は、互いに結合される少なくとも２つのケーシングから構成されることができる。ケーシングは、図１に例示されるような左右のケーシングまたは前後のゲーシングまたは上下のケーシングあるいは同様のもので構成することができる。ハウジングが分離できる形態である限り、ケーシングの形態、数、組み合わせの方法は、本発明の範囲において制限されることはない。
【００２０】
ディスペンジングユニット２０は、図１に示す正常の状態でハウジング１０の中に完全に引き込まれているであろう。この場合、引き込み装置１２が、使用のためにディスペンジングユニット２０をハウジングの外側に拡張するために、さらに備えられる。
【００２１】
引き込み装置１２は、図１に例示するようなボタンアセンブリ、回転ノブ、押しアセンブリあるいは同様のものとすることができる。引き込み装置１２は、ハウジング１０からディスペンジングユニット２０を拡張する機能を有している限り、引き込み装置１２の形態と構造は、本発明の範囲内において制限されることはなく、引き込み装置１２の更なる説明は省略する。
【００２２】
図１から図４を参照するに、ディスペンジングユニット２０は、ハウジング１０内に引き込まれるように配置され、引き込み装置１２と接続され、ディスペンジングユニットが押し込みによってハウジング１０の外側に拡張可能となったり、あるいはハウジング１０の中に引き込まれることが可能となる。
【００２３】
ディスペンジングユニット２０は、ベース２１と、ディスペンジングヘッド２２と、ホイールアセンブリ２３と、薄膜２６と、ロック装置２８とからなる。ベース２１は、分離可能な形態とすることができ、引き込み装置１２に接続している。ディスペンジングヘッド２２は、ベース２１の一端に配置されており、ハウジング１０の外側に拡張するように押し出すことができる。
【００２４】
ホイールアセンブリ２３は、ディスペンジングヘッド２２の反対側にあってベース２１上の端部に配置されており、テープ供給ホイール２４と、使用済みテープ収集ホイール２５とからなる。テープ供給ホイール２４と、使用済みテープ収集ホイール２５はそれぞれ回転可能にベース２１上に設けられており、テープ供給ホイール２４と、使用済みテープ収集ホイール２５とが同時に回転することを可能にする、ハウジング１０内の伝動装置によって駆動されるよう、伝動装置に接続されている。
【００２５】
テープ供給ホイール２４は、テープ供給ホイール２４の側面に形成され、円周状に配置され、複数の交互に配置された凹状および凸状の歯２４２を有している。
【００２６】
薄膜２６は、ホイールアセンブリ２３とディスペンジングヘッド２２の周囲に設けられており、テープ供給ホイール２４の周囲に配置された未使用の端部と、最初にディスペンジングヘッド２２を経由してそれから使用済みテープ収集ホイール２５の周囲に配置される使用済みの端部とを有している。
【００２７】
ロック装置２８は、ホイールアセンブリ２３が回転することを防止するために、ベース２１上に弾力をもって配置されており、選択的にホイールアセンブリ２３と噛合う。
【００２８】
好ましくは、ロック装置２８は、テープ供給ホイール２４と噛合わせ、テープ供給ホイール２４上の凹状および凸状の歯２４２の一つと噛合わせることができる。
【００２９】
ロック装置２８が配置されることによって、ホイールアセンブリ２３の勝手な回転が防止されて、薄膜２６を、ホイールアセンブリ２３から脱出したり緩むことがない状態に維持することができる。
【００３０】
ロック装置２８は、ベース２１上に形成された少なくとも一つの弾力のある噛合いアーム２９からなる。２つの弾力のある噛合いアーム２９で実施することが好ましい。
【００３１】
弾力のある噛合いアーム２９はそれぞれ、直線状の要素２９２と、曲線状の要素２９４とからなる。直線状の要素２９２は、完全にかつ弾力をもってベース２１に結合されており、ベース２１に対して反対側で自由端部を有している。曲線状の要素２９４は、直線状の要素２９２に結合していて、結合端部と噛合い端部とを有している。曲線状の要素２９４の結合端部は、完全に直線状の要素２９２の自由端部と結合している。曲線状の要素２９４の噛合い端部は、前記結合端部の反対側にある。そして、噛合い要素２９６が、曲線状の要素２９４の噛合い端部上に形成されており、テープ供給ホイール２４上の凹状および凸状の歯２４２の一つと選択的に噛合う。噛合い要素２９６は突出した要素とすることができ、凹状および凸状の歯２４２の中の凹状の歯の一つと噛合う。代わりに、噛合い要素２９６は窪みのある要素とすることができ、凹状および凸状の歯２４２の中の凸状の歯の一つと噛合う。噛合い要素２９６と凹状および凸状の歯２４２との噛合いによって、テープ供給ホイール２４は、回転することが防止される。加えて、突出部２９８が曲線状の要素２９４の噛合い端部上に形成され、曲線状の要素２９４の噛合い端部から突出しており、ホイールアセンブリ２３から離間している。
【００３２】
さらに噛合いアーム２９はそれぞれ、完全に弾力をもってベース２１に結合し、ベース２１に対して反対側で噛合い端部を持つ直線状の要素２９２のみで構成してもよい。噛合い要素２９６は、直線状の要素２９２の噛合い端部上に形成され、テープ供給ホイール２４上の凹状および凸状の歯２４２の一つと選択的に噛合う。突出部２９８が噛合い端部上に形成され、直線状の要素２９２の噛合い端部から突出する。
【００３３】
代わりに、噛合いアーム２９はそれぞれ、完全に弾力をもってベース２１に結合し、ベース２１に対して反対側で噛合い端部を持つ曲線状の要素２９４のみで構成してもよい。噛合い要素２９６は、曲線状の要素２９４の噛合い端部上に形成され、テープ供給ホイール２４上の凹状および凸状の歯２４２の一つと選択的に噛合う。突出部２９８が噛合い端部上に形成され、曲線状の要素２９４の噛合い端部から突出する。
【００３４】
さらに、噛合いアーム２９はそれぞれ、完全に弾力をもってベース２１に結合しそれらの間に噛合い部が形成された２つの端部で構成してもよい。噛合い要素２９６は、その噛合い部上に形成され、テープ供給ホイール２４上の凹状および凸状の歯２４２の一つと選択的に噛合う。突出部２９８が噛合い部上に形成され、その噛合い部から突出する。
【００３５】
そのような配置によって、製造者にとっては、ディスペンジングユニット２０を包装および輸送の工程の間、ディスペンジングユニット２０を保持するために更に設けられるべき従来の固定カードは不要となる。ディスペンジングユニットを包装し、輸送する工程は簡素化することができ、コストはそれゆえにまた低減されることになる。
【００３６】
ユーザにとっては、使用済みのディスペンジングユニット２０を取り替えるために新しいディスペンジングユニット２０を購入する際に、ディスペンジングユニット２０をハウジング１０に組み込む全工程の間、ロック装置２８によって与えられるロック効果によってホイールアセンブリ２３をロックされた状態に置くことができる。薄膜２６は緩むことが防止されるので、ディスペンジングユニット２０をハウジング１０に組み込むことは簡便なものとなり、緩むことによって引き起こされる薄膜２６の浪費も防止されることになる。ディスペンジングユニット２０の利便性は改善されることになる。
【００３７】
さらに、アンロック装置は、ハウジング１０上に設けられており、ロック装置２８からホイールアセンブリ２３をアンロック（開錠）するために、ディスペンジングユニット２０上のロック装置２８に対応して設けられている。
【００３８】
図１、図４、図４Ａ、図５、図５Ａを参照するに、アンロック装置は、ハウジング１０の内側表面上に設けられており、少なくとも一つの弾力のある噛合いアーム２９にそれぞれ対応する少なくとも一つの案内ブロック１６からなる。個々の案内ブロック１６は、間隔を置いて配置されており、ハウジング１０が閉じられた後には個々の弾力のある噛合いアーム２９それぞれに連携することになる。したがって、引き込み装置１２の操作によって、ディスペンジングヘッド２２が、ハウジング１０から外側に拡張することを強制されると、案内ブロック１６は、弾力のある噛合いアーム２９上の突出部２９８の上に接触し突出部２９８に圧迫を加えることができる。この結果、テープ供給ホイール２４上の凹状および凸状の歯２４２から弾力のある噛合いアーム２９上の噛合い要素２９６は、離れて、テープ供給ホイール２４はアンロックされて、回転することが可能となる。
【００３９】
こうしてディスペンジングユニット２０は、薄膜をディスペンジング（吐出、取り出し）する機能を提供する正常の使用状態に置かれる。
【００４０】
引き込み装置１２の操作によって、ディスペンジングユニット２０のディスペンジングヘッド２２が、ハウジング１０の中に引き込まれると、弾力のある噛合いアーム２９上の突出部２９８は、突出部２９８が案内ブロック１６に接触している場所の位置から離れる。弾力のある噛合いアーム２９の弾性力によって、噛合い要素２９６は、再びホイールアセンブリ２３をロックするために、テープ供給ホイール２４上の凹状および凸状の歯２４２に再結合するであろう。
【００４１】
本発明にしたがった第２の実施例を、図６から図９Ａを参照して説明するに、ハウジング１０Ａは、互いに結合された３つのケーシングから構成することができる。そしてハウジング１０Ａは、ケーシングの一つに設けられた、案内ブロック１６Ａを備えるアンロック装置を有している。案内ブロック１６Ａを備えるケーシングは、開くことが可能である。ディスペンジングユニット２０Ａは、正常状態ではハウジング１０Ａの外側に恒久的に拡張している。キャップ１４は、ディスペンジングユニット２０Ａが使用されていない間、別の物体に接触することを防止するために、ハウジング１０Ａの外側にある、ディスペンジングユニット２０Ａの突起部をカバーするために備えられている。
【００４２】
この実施例では、アンロック装置の案内ブロック１６Ａは、ハウジング１０Ａの開いているケーシングが閉じられるときに、弾力のある噛合いアーム２９Ａの上の突出部２９８Ａに対して直接接触するであろう。それによって、弾力のある噛合いアーム２９Ａ上の噛合い要素２９６Ａは、テープ供給ホイール２４Ａ上の凹状および凸状の歯２４２Ａから離れて、ホイールアセンブリ２３Ａはアンロックされて、ディスペンジングユニット２０Ａを、正常の状態で使用することを可能ならしめ、薄膜をディスペンジング（吐出、取り出し）する機能を提供する。
【００４３】
さらに、ロック装置２８、２８Ａは、ホイールアセンブリ２３、２３Ａの使用済みテープ収集ホイール２５と噛み合わせることができ、使用済みテープ収集ホイール２５と噛み合う少なくとも一つの弾力のある噛合いアームで構成される。その少なくとも一つの弾力のある噛合いアームは、図１および図６で示されたの同じような構造を持ったものであってもよく、図１および図６で示されたのは逆の方向に配置されたものであってもよい。それによって、少なくとも一つの弾力のある噛合いアームは、使用済みテープ収集ホイール２５に噛み合うことができる。
【００４４】
本発明にしたがった第３の実施例を、図１０と図１１を参照して説明するに、薄膜ディスペンサは、ハウジング１０Ｂとディスペンジングユニット２０Ｂとを備えており、それらは前述の各実施例と同じまたは類似の構造をもつものである。以下では、この実施例と前述の各実施例との構造上における本質的な相違点のみが説明される。
【００４５】
ディスペンジングヘッド２２Ｂはハウジング１０Ｂ内に設けられており、ディスペンジングユニット２０Ｂと結合するために備えられている。ディスペンジングユニット２０Ｂがハウジング１０Ｂに装着されると、ディスペンジングユニット２０Ｂのベース２１Ｂの終端部が、ディスペンジングヘッド２２Ｂに結合する。ディスペンジングユニット２０Ｂがハウジング１０Ｂ内に組み込まれた後で、ホイールアセンブリ２３Ｂの周囲に設けられた薄膜２６Ｂは、ディスペンジングヘッド２２Ｂの周囲に設けられる。ディスペンジングヘッド２２Ｂは、薄膜２６Ｂが正常な状態で使用されることを可能ならしめるために、薄膜２６Ｂを締め上げるであろう。ロック装置２８Ｂはホイールアセンブリ２３Ｂが回転することを防止するために、ベース２１Ｂ上に弾力をもって配置されている。ロック装置２８Ｂの構造と作用は、前述した各実施例と同様であり、それらの説明は省略する。
【００４６】
本発明の種々の特徴と利点を、発明の構造と作用の詳細な説明とともに説明したが、本発明は詳細な説明に開示されたものにだけに限定されるわけでなく、特に形状、サイズ、部品の変形については、以下に表現される特許請求の範囲内で広く一般的に変形することができる。
【図１】
0005754033.tif 000002
【図２】
0005754033.tif 000003
【図３】
0005754033.tif 000004
【図４】
0005754033.tif 000005
【図５】
0005754033.tif 000006
【図６】
0005754033.tif 000007
【図７】
0005754033.tif 000008
【図８】
0005754033.tif 000009
【図９】
0005754033.tif 000010
【図１０】
0005754033.tif 000011
【図１１】
0005754033.tif 000012
【図１２】
0005754033.tif 000013
【図１３】
0005754033.tif 000014